(57)【要約】【課題】記録装置から離れた場所に居るユーザに予約録画完了を知らせる。【解決手段】記録再生装置４は、設定された録画予約に従って、番組放送の映像および音声を所定の記録媒体に記録する。次に、記録再生装置４は、記録媒体に記録した映像から１フレームを抜き出し、そのフレームからサムネイル（静止画）を作成する。次に、記録再生装置４は、記録した番組放送の記録開始日、記録開始時刻、記録終了時刻、放送チャンネル、録画モード、およびサムネイルを含む電子メールを、メールサーバ９および５７を介して、携帯電話機５３に送信する。携帯電話機５３は、受信した電子メールを表示する。ユーザは、録画が完了したことを知ることができる。本発明は、ネットワークに接続された電子機器に適用することができる。【選択図】　　　図１
2004135151.tif 000002
【特許請求の範囲】
【請求項１】
通信機能を有する記録装置、および提示する情報をユーザが閲覧可能な情報処理装置から構成されるサービス提供システムにおいて、
前記記録装置は、
データの記録を予約する予約手段と、
前記予約手段により予約された前記データを、所定の記録媒体に記録する記録手段と、
前記記録手段により記録された前記データに関する情報を取得する取得手段と、
前記取得手段により取得された前記情報を含む、前記データの記録完了の案内を前記情報処理装置に送信する送信手段と
を備え、
前記情報処理装置は、
前記記録装置より前記データの記録完了の前記案内を受信する受信手段と、
前記受信手段により受信された前記データの記録完了の前記案内を提示する提示手段と
を備えることを特徴とするサービス提供システム。
【請求項２】
データの記録を予約する予約手段と、
前記予約手段により予約された前記データを、所定の記録媒体に記録する記録手段と、
前記記録手段により記録された前記データに関する情報を取得する取得手段と、
前記取得手段により取得された前記情報を含む、前記データの記録完了の案内を、情報処理装置に送信する送信手段と
を備えることを特徴とする記録装置。
【請求項３】
放送を受信する受信手段をさらに備え、
前記予約手段は、前記受信手段により受信される前記放送に含まれる映像および音声を、記録する前記データとして予約し、
前記記録手段は、前記受信手段により受信された前記放送に含まれる前記映像および前記音声を、前記データとして前記記録媒体に記録する
ことを特徴とする請求項２に記載の記録装置。
【請求項４】
前記取得手段は、前記記録手段により前記記録媒体に記録された前記映像および前記音声の、記録開始日、記録開始時刻、記録終了時刻、および放送チャンネルのうち、少なくとも１つ以上の情報を取得する
ことを特徴とする請求項３に記載の記録装置。
【請求項５】
前記記録手段により前記記録媒体に記録された前記映像から１フレームの静止画を抽出する抽出手段をさらに備え、
前記取得手段は、前記抽出手段により抽出された前記静止画を、前記情報としてさらに取得する
ことを特徴とする請求項４に記載の記録装置。
【請求項６】
前記抽出手段により前記フレームを抽出するタイミングの設定を受け付ける受付手段をさらに備える
ことを特徴とする請求項５に記載の記録装置。
【請求項７】
ユーザから、前記データの記録を予約する操作、およびメールアドレスの入力を受け付ける受付手段をさらに備え、
前記送信手段は、前記受付手段により入力が受け付けられた前記メールアドレス宛の電子メールとして前記案内を送信する
ことを特徴とする請求項２に記載の記録装置。
【請求項８】
データの記録を予約する予約ステップと、
前記予約ステップの処理により予約された前記データを、所定の記録媒体に記録する記録ステップと、
前記記録ステップの処理により記録された前記データに関する情報を取得する取得ステップと、
前記取得ステップの処理により取得された前記情報を含む、前記データの記録完了の案内を前記情報処理装置に送信する送信ステップと
を含むことを特徴とする記録方法。
【請求項９】
データの記録を予約する予約ステップと、
前記予約ステップの処理により予約された前記データが、所定の記録媒体に記録された後、記録された前記データに関する情報を、情報処理装置に送信する、前記データの記録完了の案内に含める情報として取得する取得ステップと
を含むことを特徴とするコンピュータが読み取り可能なプログラムが記録されている記録媒体。
【請求項１０】
データの記録を予約する予約ステップと、
前記予約ステップの処理により予約された前記データが、所定の記録媒体に記録された後、記録された前記データに関する情報を、情報処理装置に送信する、前記データの記録完了の案内に含める情報として取得する取得ステップと
をコンピュータに実行させることを特徴とするプログラム。
【請求項１１】
記録することが予約されたデータを、所定の記録媒体に記録した後、前記データに関する情報を含む、前記データの記録完了の案内を送信する記録装置より前記案内を受信する受信手段と、
前記受信手段により受信された前記案内を提示する提示手段と
を備えることを特徴とする情報処理装置。
【請求項１２】
前記データは、放送に含まれる映像および音声であり、前記データに関する情報は、前記映像および前記音声の記録開始日、記録開始時刻、記録終了時刻、放送チャンネル、および前記映像の１フレームを元に作成された静止画のうち、少なくとも１つ以上の情報を含む
ことを特徴とする請求項１１に記載の情報処理装置。
【請求項１３】
記録することが予約されたデータを、所定の記録媒体に記録した後、前記データに関する情報を含む、前記データの記録完了の案内を送信する記録装置より前記案内を受信する受信ステップと、
前記受信ステップの処理により受信された前記案内を提示する提示ステップと
を含むことを特徴とする情報処理方法。
【請求項１４】
記録することが予約されたデータを、所定の記録媒体に記録した後、前記データに関する情報を含む、前記データの記録完了の案内を送信する記録装置より前記案内を受信した場合、受信された前記案内を提示する提示ステップを含む
ことを特徴とするコンピュータが読み取り可能なプログラムが記録されている記録媒体。
【請求項１５】
記録することが予約されたデータを、所定の記録媒体に記録した後、前記データに関する情報を含む、前記データの記録完了の案内を送信する記録装置より前記案内を受信した場合、受信された前記案内を提示する提示ステップを
コンピュータに実行させることを特徴とするプログラム。
【発明の詳細な説明】
【０００１】
【発明の属する技術分野】
本発明は、サービス提供システム、記録装置および方法、情報処理装置および方法、記録媒体、並びにプログラムに関し、特に、予約録画が実行されたこを、記録装置から離れた場所に居るユーザに知らせることができるようにしたサービス提供システム、記録装置および方法、情報処理装置および方法、記録媒体、並びにプログラムに関する。
【０００２】
【従来の技術】
従来、遠隔地に設置された端末ＰＣから、電話回線を介して、テレビジョン放送の番組録画予約を受け付けると共に、番組録画予約に従って録画された番組の一覧を装置上に表示するようにした録画予約装置および番組録画結果表示装置が知られている（例えば、特許文献１参照）。
【０００３】
また、インターネットを介してＴＶ番組情報提供会社の番組情報を取り込み、ビデオテープレコーダに録画し、録画結果を一覧表示するもの（例えば、特許文献２参照）、外部サーバに録画された放送番組を、インターネットを介してユーザの端末に提供するもの（例えば、特許文献３参照）、リモート制御装置からインターネットを介してビデオテープレコーダの録画予約を設定・変更するもの（例えば、特許文献４参照）などがある。
【０００４】
さらに、インターネット対応の携帯情報端末装置からの遠隔制御により、ハードディスクへの録画開始、録画終了、録画予約を行うことが可能であり、かつ、録画ステータス（録画中か否か、録画予約中か否か、および録画予約内容）を携帯電話に表示可能なものもある（例えば、特許文献５）。
【０００５】
【特許文献１】
特開２０００−３５０１４２号公報（第２−３ページ、図１）
【特許文献２】
特開平１０−１６４４８７号公報（第５−６ページ）
【特許文献３】
特開２００２−８４４８３号公報（第７−８ページ）
【特許文献４】
特開２００１−８２７６号公報（第５−６ページ）
【特許文献５】
特開２００２−５７６８６号公報（第６−９ページ）
【０００６】
【発明が解決しようとする課題】
しかしながら、従来、予約録画が完了した案内を、記録装置から離れた場所に居るユーザに通知することができないという課題があった。
【０００７】
従って、ユーザは、予約した番組の録画が正常に実行されたのか否かを確かめることができなかった。
【０００８】
例えば、特許文献５によれば、録画をしているか否か、録画予約中か否か、および録画予約の内容を、携帯電話機に送信することはできる。しかし、予約された放送の録画が完了した時点で、録画完了の案内を送信することはできず、従って、ユーザは、目的の番組放送が録画されたのか否かを確かめることができなかった。
【０００９】
本発明はこのような状況に鑑みてなされたものであり、記録装置から離れた場所に居るユーザに、予約録画が実行されたことを知らせることを目的とする。
【００１０】
【課題を解決するための手段】
本発明のサービス提供システムは、記録装置は、データの記録を予約する予約手段と、予約手段により予約されたデータを、所定の記録媒体に記録する記録手段と、記録手段により記録されたデータに関する情報を取得する取得手段と、取得手段により取得された情報を含む、データの記録完了の案内を情報処理装置に送信する送信手段とを備え、情報処理装置は、記録装置よりデータの記録完了の案内を受信する受信手段と、受信手段により受信されたデータの記録完了の案内を提示する提示手段とを備えることを特徴とする。
【００１１】
本発明の記録装置は、データの記録を予約する予約手段と、予約手段により予約されたデータを、所定の記録媒体に記録する記録手段と、記録手段により記録されたデータに関する情報を取得する取得手段と、取得手段により取得された情報を含む、データの記録完了の案内を、情報処理装置に送信する送信手段とを備えることを特徴とする。
【００１２】
放送を受信する受信手段をさらに設けるようにし、前記予約手段には、受信手段により受信される放送に含まれる映像および音声を、記録する前記データとして予約するようにさせ、前記記録手段には、受信手段により受信された放送に含まれる映像および音声を、前記データとして前記記録媒体に記録するようにさせることができる。
【００１３】
前記取得手段には、前記記録手段により前記記録媒体に記録された前記映像および前記音声の、記録開始日、記録開始時刻、記録終了時刻、および放送チャンネルのうち、少なくとも１つ以上の情報を取得するようにさせることができる。
【００１４】
前記記録手段により前記記録媒体に記録された前記映像から１フレームの静止画を抽出する抽出手段をさらに設けるようにし、前記取得手段には、抽出手段により抽出された静止画を、前記情報としてさらに取得するようにさせることができる。
【００１５】
前記抽出手段により前記フレームを抽出するタイミングの設定を受け付ける受付手段をさらに設けるようにすることができる。
【００１６】
ユーザから、前記データの記録を予約する操作、およびメールアドレスの入力を受け付ける受付手段をさらに設けるようにし、前記送信手段には、受付手段により入力が受け付けられたメールアドレス宛の電子メールとして前記案内を送信するようにさせることができる。
【００１７】
本発明の記録方法は、データの記録を予約する予約ステップと、予約ステップの処理により予約されたデータを、所定の記録媒体に記録する記録ステップと、記録ステップの処理により記録されたデータに関する情報を取得する取得ステップと、取得ステップの処理により取得された情報を含む、データの記録完了の案内を情報処理装置に送信する送信ステップとを含むことを特徴とする。
【００１８】
本発明の第１の記録媒体のプログラムは、データの記録を予約する予約ステップと、予約ステップの処理により予約されたデータが、所定の記録媒体に記録された後、記録されたデータに関する情報を、情報処理装置に送信する、データの記録完了の案内に含める情報として取得する取得ステップとを含むことを特徴とする。
【００１９】
本発明の第１のプログラムは、データの記録を予約する予約ステップと、予約ステップの処理により予約されたデータが、所定の記録媒体に記録された後、記録されたデータに関する情報を、情報処理装置に送信する、データの記録完了の案内に含める情報として取得する取得ステップとをコンピュータに実行させることを特徴とする。
【００２０】
本発明の情報処理装置は、記録することが予約されたデータを、所定の記録媒体に記録した後、データに関する情報を含む、データの記録完了の案内を送信する記録装置より案内を受信する受信手段と、受信手段により受信された案内を提示する提示手段とを備えることを特徴とする。
【００２１】
前記データは、放送に含まれる映像および音声であり、前記データに関する情報は、前記映像および前記音声の記録開始日、記録開始時刻、記録終了時刻、放送チャンネル、および前記映像の１フレームを元に作成された静止画のうち、少なくとも１つ以上の情報を含むようにすることができる。
【００２２】
本発明の情報処理方法は、記録することが予約されたデータを、所定の記録媒体に記録した後、データに関する情報を含む、データの記録完了の案内を送信する記録装置より案内を受信する受信ステップと、受信ステップの処理により受信された案内を提示する提示ステップとを含むことを特徴とする。
【００２３】
本発明の第２の記録媒体のプログラムは、記録することが予約されたデータを、所定の記録媒体に記録した後、データに関する情報を含む、データの記録完了の案内を送信する記録装置より案内を受信した場合、受信された案内を提示する提示ステップを含むことを特徴とする。
【００２４】
本発明の第２のプログラムは、記録することが予約されたデータを、所定の記録媒体に記録した後、データに関する情報を含む、データの記録完了の案内を送信する記録装置より案内を受信した場合、受信された案内を提示する提示ステップをコンピュータに実行させることを特徴とする。
【００２５】
本発明のサービス提供システムにおいては、記録装置では、データの記録が予約され、予約されたデータが所定の記録媒体に記録された場合、記録されたデータに関する情報が取得され、取得された情報を含む、データの記録完了の案内が情報処理装置に送信される。また、情報処理装置では、記録装置よりデータの記録完了の案内が受信された場合、受信されたデータの記録完了の案内がユーザに提示される。
【００２６】
本発明の記録装置および方法、記録媒体、並びにプログラムにおいては、データの記録が予約され、予約されたデータが所定の記録媒体に記録された場合、記録されたデータに関する情報が取得され、取得された情報を含む、データの記録完了の案内が、情報処理装置に送信される。
【００２７】
本発明の情報処理装置および方法、記録媒体、並びにプログラムにおいては、記録することが予約されたデータを、所定の記録媒体に記録した後、データに関する情報を含む、データの記録完了の案内を送信する記録装置より案内が受信された場合、受信された案内がユーザに提示される。
【００２８】
なお、記録装置は、独立した装置であっても良いし、記録再生装置の記録処理を行うブロックであっても良い。
【００２９】
【発明の実施の形態】
図１は、本発明のサービス提供システムの構成例を表している。
【００３０】
図１において、記録再生装置４は、モデム３、およびアクセスポイント（ＡＰ）２−１を介して、インターネット１に接続されている。記録再生装置４には、テレビジョン受像機５が接続されており、記録再生装置４で再生された映像および音声が、テレビジョン受像機５に出力される。図１の例においては、記録再生装置４は、番組放送を所定の記録媒体に録画した場合、番組放送を録画した旨の案内を、ユーザが利用可能な電子機器（例えば携帯電話機５３、携帯情報端末装置５４、またはクライアントコンピュータ６−１乃至６−３）に送信し、録画の完了をユーザに知らせる。この案内には、録画した番組放送の１フレームを抜き出したサムネイルが含まれている。
【００３１】
アクセスポイント（ＡＰ）２−２には、クライアントコンピュータ６−１が接続されている。クライアントコンピュータ６−１は、汎用のパーソナルコンピュータであり、アクセスポイント２−２を介して、インターネット１に接続されている。
【００３２】
インターネット１にはまた、ルータ７を介して、無線ＬＡＮ（Ｌｏｃａｌ　Ａｒｅａ　Ｎｅｔｗｏｒｋ）アクセスポイント（ＡＰ）８が接続されている。この無線ＬＡＮアクセスポイント８は、インターネット１への接続サービス（所謂、ホットスポットサービス）用に、例えば喫茶店の店内などに設けられている。クライアントコンピュータ６−２および６−３は、汎用のパーソナルコンピュータであり、無線ＬＡＮアクセスポイント８を介して、インターネット１に接続されている。
【００３３】
インターネット１には、メールサーバ９も接続されている。メールサーバ９は、例えばインターネットサービスプロバイダにより管理され、インターネット１を含むネットワークに接続された機器間における電子メールの送受信を中継している。なお、図１の例においては、記録再生装置４のユーザは、メ―ルサーバ９を管理するインターネットサービスプロバイダに加入しているものとする。従って、記録再生装置４から送信される電子メールは、メールサーバ９を経由して送信されるものとする。
【００３４】
図１の左方において、携帯電話機５３、および携帯情報端末装置５４が接続されているネットワークシステムには、通信サービスの提供エリアを所望の大きさに分割したセル内に、それぞれ固定無線局である基地局５２−１および５２−２が設置されている。
【００３５】
これらの基地局５２−１および５２−２には、移動無線局である携帯電話機５３、および携帯情報端末装置５４が、例えばＷ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）と呼ばれる符号分割多元接続方式によって、無線接続されるようになされており、２［ＧＨｚ］　の周波数帯域を使用して、最大２［Ｍｂｐｓ］のデータ転送速度で、大容量データを高速にデータ通信し得るようになされている。
【００３６】
このように、移動無線局である携帯電話機５３、および携帯情報端末装置５４は、Ｗ−ＣＤＭＡ方式によって大容量データを高速にデータ通信し得るようになされていることにより、音声通話だけでなく電子メールの送受信、簡易ホームページの閲覧、画像の送受信等の多種におよぶデータ通信を実行し得るようになされている。なお、図１においては、携帯電話機５３および携帯情報端末装置５４の２つの移動無線局しか図示されていないが、実際には、多数の移動無線局が存在する。
【００３７】
また基地局５２−１および５２−２は、有線回線を介して公衆回線網５１に接続されており、当該公衆回線網５１には、図示しない多くの加入者有線端末、コンピュータネットワーク及び企業内ネットワーク等が接続されている。
【００３８】
また、公衆回線網５１には、インターネットサービスプロバイダのアクセスサーバ５６も接続されており、携帯電話機５３、および携帯情報端末装置５４は、アクセスサーバ５６を介してインターネット１に接続することができる。また、当該アクセスサーバ５６には、メールサーバ５７が接続されている。メールサーバ５７は、インターネット１を介して、他のメールサーバ（例えばメールサーバ９）から送信された電子メールを、電子メールに付された宛先のメールアドレスに対応する携帯電話機（例えば携帯電話機５３）、または携帯情報端末装置（例えば携帯情報端末装置５４）に送信する。
【００３９】
また、メールサーバ５７は、携帯電話機（例えば携帯電話機５３）、または携帯情報端末装置（例えば携帯情報端末装置５４）から受信した電子メールを、電子メールに付された宛先のメールアドレスに対応する携帯電話機（例えば携帯電話機５３）、もしくは携帯情報端末装置（例えば携帯情報端末装置５４）、または他のメールサーバ（例えばメールサーバ９）に送信する。
【００４０】
携帯電話機５３、および携帯情報端末装置５４は、基地局５２−１および５２−２までを、２　［Ｍｂｐｓ］　の簡易トランスポートプロトコルで通信し、当該基地局５２−１および５２−２からインターネット１を介して各種サーバまでを、ＴＣＰ／ＩＰプロトコルで通信するようになされている。
【００４１】
管理制御装置５５は、公衆回線網５１を介して、加入者有線端末、携帯電話機５３、および携帯情報端末装置５４に接続されており、当該携帯電話機５３、および携帯情報端末装置５４に対する認証処理や課金処理等を行うようになされている。
【００４２】
なお、以下の説明において、基地局５２−１および５２−２のそれぞれを区別する必要がない場合、まとめて基地局５２と、クライアントコンピュータ６−１乃至６−３のそれぞれを区別する必要がない場合、まとめてクライアントコンピュータ６と、アクセスポイント２−１および２−２のそれぞれを区別する必要がない場合、まとめてアクセスポイント２と、それぞれ称する。
【００４３】
次に、携帯電話機５３の外観構成について説明する。図２に示すように、携帯電話機５３は、中央のヒンジ部１０１を境に表示部１０２と本体１０３とに分けられており、当該ヒンジ部１０１を介して、折り畳み可能に形成されている。
【００４４】
表示部１０２には、上端左部に、送受信用のアンテナ１０４が引出し及び収納可能な状態に取り付けられており、当該アンテナ１０４を介して、基地局５２との間で電波を送受信するようになされている。
【００４５】
また表示部１０２には、上端中央部にほぼ１８０度の角度範囲で、回動自在なカメラ部１０５が設けられており、当該カメラ部１０５のＣＣＤ（Ｃｈａｒｇｅｄ　ＣｏｕｐｌｅｄＤｅｖｉｃｅ）カメラ１０６によって、所望の撮像対象を撮像し得るようになされている。
【００４６】
ここで表示部１０２は、カメラ部１０５がユーザによって、ほぼ１８０度回動されて位置決めされた場合、図３に示すように、当該カメラ部１０５の背面側中央に設けられたスピーカ１２１が正面側に位置することになり、これにより通常の音声通話状態に切り換わるようになされている。
【００４７】
さらに表示部１０２には、その正面に液晶ディスプレイ１０７が設けられており、電波の受信状態、電池残量、電話帳として登録されている相手先名や電話番号及び発信履歴等の他、簡易ホームページ、カメラ部１０５のＣＣＤカメラ１０６で撮像した画像、および公衆回線網５１を介して、各種サーバ、携帯情報端末装置５４、デジタルカメラ、ビデオカメラ、またはほかの携帯電話機から送信された画像を表示するようになされている。液晶ディスプレイ１０７にはまた、電子メールの内容が表示される。本発明においては、電子メールの内容として、記録再生装置４から受信された録画完了の案内などの情報が、液晶ディスプレイ１０７に表示される。
【００４８】
一方、本体１０３には、その表面に「０」〜「９」の数字キー、発呼キー、リダイヤルキー、終話及び電源キー、クリアキー及び電子メールキー等の操作キー１０８が設けられており、当該操作キー１０８を用いて各種指示を入力し得るようになされている。
【００４９】
また本体１０３には、操作キー１０８の下部に、メモボタン１０９やマイクロフォン１１０が設けられており、当該メモボタン１０９によって、通話中の相手の音声を録音し得ると共に、マイクロフォン１１０によって通話時のユーザの音声を集音するようになされている。
【００５０】
さらに本体１０３には、操作キー１０８の上部に、回動自在なジョグダイヤル１１１が、当該本体１０３の表面から僅かに突出した状態で設けられており、本体１０３を横方向から見た場合の図である図４に示すように、矢印ａにより示された方向に、回転させることができると共に、矢印ｂにより示された方向（本体１０３の内部方向）に、押下操作することが可能となっている。
【００５１】
携帯電話機５３は、ジョグダイヤル１１１に対する回動操作に応じて、液晶ディスプレイ１０７に表示されている電話帳リストや電子メールのスクロール動作、簡易ホームページのページ捲り動作及び画像の送り動作、様々な項目の選択、カーソルの移動等の種々の動作を実行するようになされている。また、携帯電話機５３は、ジョグダイヤル１１１の押下操作に応じて、選択中の項目を決定する等の動作を実行するようになされている。
【００５２】
例えば、ユーザによりジョグダイヤル１１１が回動操作された場合、液晶ディスプレイ１０７に表示された電話帳リストの複数の電話番号の中から所望の電話番号が選択され、当該ジョグダイヤル１１１が押下操作された場合、選択された電話番号を確定して、当該電話番号に対して自動的に発呼処理を行うようになされている。
【００５３】
なお、以下の説明においては、図４に示すように、ヒンジ部１０１に向かうジョグダイヤル１１１の回転を、所定上方向の回転と称し、所定上方向と反対方向の回転を、所定下方向の回転と称する。
【００５４】
再び、図２において、本体１０３は、背面側に図示しないバッテリパックが挿着されており、終話及び電源キーがオン状態になると、当該バッテリパックから各回路部に対して電力が供給されて、動作可能な状態に起動する。
【００５５】
本体１０３には、当該本体１０３の左側面上部に、抜差自在なメモリスティック（ソニー株式会社の商標）１１２を挿着するためのメモリスティックスロット１１３が設けられており、メモボタン１０９が押下されると、メモリスティック１１２に通話中の相手の音声を記録したり、ユーザの操作に応じて、電子メール、簡易ホームページ、ＣＣＤカメラ１０６で撮像した画像、および無線通信により受信した画像を記録し得るようになされている。
【００５６】
ここで、メモリスティック１１２は、本願出願人であるソニー株式会社によって開発されたフラッシュメモリカードの一種である。このメモリスティック１１２は、小型薄型形状のプラスチックケース内に、電気的に書換えや消去が可能な不揮発性メモリであるＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ　）の一種であるフラッシュメモリ素子を格納したものであり、１０ピン端子を介して画像や音声、音楽等の各種データの書き込み及び読み出しが可能となっている。
【００５７】
また、メモリスティック１１２は、大容量化等による内蔵フラッシュメモリの仕様変更に対しても、使用する機器で互換性を確保することができる独自のシリアルプロトコルを採用し、最大書込速度１．５［ＭＢ／Ｓ］　、最大読出速度２．４５［ＭＢ／Ｓ］の高速性能を実現していると共に、誤消去防止スイッチを設けて高い信頼性を確保している。
【００５８】
従って携帯電話機５３は、このようなメモリスティック１１２を挿着可能に構成されているために、当該メモリスティック１１２を介して、他の電子機器との間でデータの共有化を図ることができるようになされている。
【００５９】
次に、図２の携帯電話機５３の内部構成を、図５に示す。図５に示すように、携帯電話機５３は、表示部１０２及び本体１０３の各部を統括的に制御するようになされた主制御部２００に対して、電源回路部２０１、操作入力制御部２０２、画像エンコーダ２０３、カメラインタフェース部２０４、記憶部２０５、ＬＣＤ（Ｌｉｑｕｉｄ　Ｃｒｙｓｔａｌ　Ｄｉｓｐｌａｙ）制御部２０６、ブルートゥース通信部２０７、画像デコーダ２０８、多重分離部２０９、記録再生部２１０、変復調回路部２１１、および音声コーデック２１２が、メインバス２１３を介して互いに接続されると共に、画像エンコーダ２０３、画像デコーダ２０８、多重分離部２０９、変復調回路部２１１、および音声コーデック２１２が同期バス２１４を介して互いに接続されて構成されている。
【００６０】
電源回路部２０１は、ユーザの操作により終話及び電源キーがオン状態にされると、バッテリパックから各部に対して電力を供給することにより、携帯電話機５３を動作可能な状態に起動する。
【００６１】
携帯電話機５３は、ＣＰＵ（Ｃｅｎｔｒａｌ　Ｐｒｏｃｅｓｓｉｎｇ　Ｕｎｉｔ）２２１、ＲＯＭ（Ｒｅａｄ　Ｏｎｌｙ　Ｍｅｍｏｒｙ）２２２及びＲＡＭ（Ｒａｎｄｏｍ　Ａｃｃｅｓｓ　Ｍｅｍｏｒｙ）２２３等よりなる主制御部２００の制御に基づいて、音声通話モード時にマイクロフォン１１０で集音した音声信号を音声コーデック２１２によってデジタル音声データに変換し、これを変復調回路部２１１でスペクトラム拡散処理し、送受信回路部２１５でデジタルアナログ変換処理及び周波数変換処理を施した後、アンテナ１０４を介して送信する。
【００６２】
また携帯電話機５３は、音声通話モード時にアンテナ１０４で受信した受信信号を増幅して周波数変換処理及びアナログデジタル変換処理を施し、変復調回路部２１１でスペクトラム逆拡散処理し、音声コーデック２１２を介して、スピーカ１２１より音声を出力する。
【００６３】
さらに、携帯電話機５３は、データ通信モード時に、電子メールを送信する場合、操作キー１０８及びジョグダイヤル１１１の操作によって入力された電子メールのテキストデータを、操作入力制御部２０２を介して主制御部２００に送出する。主制御部２００は、テキストデータを、変復調回路部２１１でスペクトラム拡散処理し、送受信回路部２１５でデジタルアナログ変換処理及び周波数変換処理を施した後に、アンテナ１０４を介して基地局５２（図１）へ送信する。
【００６４】
これに対して携帯電話機５３は、データ通信モード時に電子メールを受信する場合、アンテナ１０４を介して基地局５２から受信した受信信号を、変復調回路部２１１でスペクトラム逆拡散処理して、元のテキストデータを復元した後、ＬＣＤ制御部２０６を介して、液晶ディスプレイ１０７に電子メールとして表示する。この後、携帯電話機５３は、ユーザの操作に応じて受信した電子メールを、記録再生部２１０を介して、メモリスティック１１２に記録することも可能である。
【００６５】
一方、携帯電話機５３は、データ通信モード時に画像データを送信する場合、ＣＣＤカメラ１０６で撮像された画像データを、カメラインタフェース部２０４を介して、画像エンコーダ２０３に供給する。
【００６６】
携帯電話機５３は、画像データを送信しない場合には、ＣＣＤカメラ１０６で撮像した画像データを、カメラインタフェース部２０４及びＬＣＤ制御部２０６を介して、液晶ディスプレイ１０７に直接表示することも可能である。
【００６７】
画像エンコーダ２０３は、ＣＣＤカメラ１０６から供給された画像データを例えばＭＰＥＧ（Ｍｏｖｉｎｇ　Ｐｉｃｔｕｒｅ　Ｅｘｐｅｒｔｓ　Ｇｒｏｕｐ　）２やＭＰＥＧ４等の所定の符号化方式によって圧縮符号化することにより符号化画像データに変換し、これを多重分離部２０９に送出する。このとき同時に携帯電話機５３は、ＣＣＤカメラ１０６で撮像中にマイクロフォン１１０で集音した音声を、音声コーデック２１２を介して、デジタルの音声データとして多重分離部２０９に送出する。
【００６８】
多重分離部２０９は、画像エンコーダ２０３から供給された符号化画像データと音声コーデック２１２から供給された音声データとを所定の方式で多重化し、その結果得られる多重化データを変復調回路部２１１でスペクトラム拡散処理し、送受信回路部２１５でデジタルアナログ変換処理及び周波数変換処理を施した後にアンテナ１０４を介して送信する。
【００６９】
これに対して携帯電話機５３は、データ通信モード時に例えば簡易ホームページ等にリンクされた動画ファイルのデータを受信する場合、アンテナ１０４を介して基地局５２から受信した受信信号を変復調回路部２１１でスペクトラム逆拡散処理し、その結果得られる多重化データを多重分離部２０９に送出する。
【００７０】
多重分離部２０９は、多重化データを分離することにより符号化画像データと音声データとに分け、同期バス２１４を介して当該符号化画像データを画像デコーダ２０８に供給すると共に、当該音声データを音声コーデック２１２に供給する。
【００７１】
画像デコーダ２０８は、符号化画像データをＭＰＥＧ２やＭＰＥＧ４等の所定の符号化方式に対応した復号化方式でデコードすることにより、再生動画データを生成し、これをＬＣＤ制御部２０６を介して液晶ディスプレイ１０７に供給し、これにより、例えば、簡易ホームページにリンクされた動画ファイルに含まれる動画データが表示される。
【００７２】
このとき同時に音声コーデック２１２は、音声データをアナログ音声信号に変換した後、これをスピーカ１２１に供給し、これにより、例えば、簡易ホームページにリンクされた動画ファイルに含まる音声データが再生される。
【００７３】
この場合も電子メールの場合と同様に携帯電話機５３は、受信した簡易ホームページ等にリンクされたデータを、ユーザの操作により、記録再生部２１０を介して、メモリスティック１１２に記録することが可能である。
【００７４】
また、静止画を電子メールに添付して送信する場合、画像エンコーダ２０３は、ＣＣＤカメラ１０６から供給された静止画の画像データを例えばＪＰＥＧ（Ｊｏｉｎｔ　Ｐｈｏｔｏｇｒａｐｈｉｃ　Ｅｘｐｅｒｔｓ　Ｇｒｏｕｐ）等の所定の符号化方式によって圧縮符号化することにより符号化画像データに変換し、これを変復調回路部２１１に供給する。変復調回路部２１１は、この符号化画像データをスペクトラム拡散処理し、これを送受信回路部２１５に供給する。送受信回路部２１５は、スペクトラム拡散処理された符号化画像データに、デジタルアナログ変換処理及び周波数変換処理を施した後、アンテナ１０４を介して送信する。
【００７５】
これに対して携帯電話機５３は、データ通信モード時に例えば静止画を含む電子メールを受信する場合、アンテナ１０４を介して基地局５２から受信した受信信号を変復調回路部２１１でスペクトラム逆拡散処理し、その結果得られる符号化画像データを画像デコーダ２０８に供給する。
【００７６】
画像デコーダ２０８は、符号化画像データをＪＰＥＧ等の所定の符号化方式に対応した復号化方式でデコードすることにより、静止画データを生成し、これをＬＣＤ制御部２０６を介して液晶ディスプレイ１０７に供給し、これにより、例えば、電子メールに含まれる静止画データが表示される。
【００７７】
記憶部２０５は、基地局５２を介して、各種サーバより受信された携帯電話機５３の制御用のプログラム、電話（電子メール）着信を案内する音声の音声データ（所謂着信メロディ）、および画像データなどを、適宜、記憶する。
【００７８】
ブルートゥース通信部２０７は、ブルートゥースを介した通信処理を行う。
【００７９】
ＣＰＵ２２１は、ＲＯＭ２２２に記憶されているプログラム、または記憶部２０５からＲＡＭ２２３にロードされたプログラムに従って各種の処理を実行する。ＲＡＭ２２３にはまた、ＣＰＵ２２１が各種の処理を実行する上において必要なデータなども適宜記憶される。
【００８０】
次に、図６は、記録再生装置４の構成例を表すブロック図である。
【００８１】
操作部３０１は、例えば、複数のボタン類およびダイヤル等により構成され、ユーザからの操作の入力を受け付ける。操作部３０１は、受け付けた操作に対応する操作信号をサブＣＰＵ３０２に送信する。なお、操作部３０１は、記録再生装置４の本体上に配置されているほか、本体とは分離されたリモートコマンダ（不図示）としても構成されている。
【００８２】
サブＣＰＵ３０２は、ＲＯＭ３０３に記憶されたプログラムに従って、各種の処理を実行する。例えば、サブＣＰＵ３０２は、操作部３０１からの操作信号に対応して、チューナ３０６、入力信号制御部３１２、および出力信号制御部３２８の動作を制御する。サブＣＰＵ３０２はまた、Ｉ／Ｏインタフェース３２６を介して、ホストＣＰＵ３１８に、操作部３０１からの操作信号に対応した記録処理または再生処理を実行させる。また、サブＣＰＵ３０２は、記録再生装置４の動作状況等の案内を、蛍光表示管３０５に表示させる。また、サブＣＰＵ３０２は、ＭＰＥＧエンコーダ３１３Ｂによる符号化の圧縮率を制御する。
【００８３】
また、サブＣＰＵ３０２は、操作部３０１から、録画を予約する操作信号が入力された場合、入力された操作信号に基づいて、放送を録画する録画日時、録画開始時間、録画終了時間、録画する放送チャンネル、録画モード、サムネイルを取得するタイミング（詳細な説明は後述する）、およびメールアドレス等の情報を、ＲＡＭ３０４に記憶させる。そして、サブＣＰＵ３０２は、これらの情報に基づいて、ホストＣＰＵ３１８に、番組放送の録画処理を実行させると共に、録画終了を案内する電子メールを、ＲＡＭ３０４に記憶されたメールアドレス宛に送信させる。なお、以下の説明において、録画を予約する際に入力された情報、すなわち放送を録画する録画日時、録画開始時間、録画終了時間、録画する放送チャンネル、録画モード、サムネイルを取得するタイミング、および電子メールを送信するメールアドレス等の情報をまとめて予約情報と称する。
【００８４】
蛍光表示管３０５は、サブＣＰＵ３０２からの指令に従って、記録再生装置４の動作状況の案内を表示する。蛍光表示管３０５は、例えば、記録、再生、早送り、および巻き戻し等の案内、日付、曜日、現在時刻、並びにユーザにより選択された放送チャンネルなどを表示する。また、蛍光表示管３０５は、操作部３０１から放送の録画予約の指示が入力された場合、設定中の録画日時、録画開始時間、録画終了時間、録画する放送チャンネル、録画モード、サムネイルを取得するタイミング、および電子メールを送信するメールアドレス等の予約情報を表示する。
【００８５】
アンテナ３０７と接続されたチューナ３０６は、サブＣＰＵ３０２からの、受信する放送局の指定に従って、地上波放送および衛星放送を含むテレビ放送の電波から目的の放送局の映像信号および音声信号を抽出し、映像信号をセレクタ３１０に供給し、音声信号をセレクタ３１１に供給する。
【００８６】
ＡＵＸビデオ端子３０８は、外部機器（例えば、カメラ一体型ビデオテープレコーダ）の映像信号出力端子とケーブルを介して接続され、外部機器からの映像信号の入力を受け付ける。なお、本実施の形態においては、映像信号として、ＮＴＳＣ（Ｎａｔｉｏｎａｌ　Ｔｅｌｅｖｉｓｉｏｎ　Ｓｙｓｔｅｍ　Ｃｏｍｍｉｔｔｅｅ）方式の映像信号の場合を例として説明するが、このことは、本発明が、ＮＴＳＣ方式の映像信号にしか適用できないことを意味するものではない。
【００８７】
ＡＵＸオーディオ端子３０９は、外部機器（例えば、カメラ一体型ビデオテープレコーダ）の音声信号出力端子とケーブルを介して接続され、外部機器からの音声信号の入力を受け付ける。
【００８８】
セレクタ３１０は、ＡＵＸビデオ端子３０８に接続された外部機器から入力される映像信号、およびチューナ３０６から入力される映像信号のうち、一方の映像信号のみを選択し、選択した映像信号をＮＴＳＣデコーダ３１２Ａに供給する。
【００８９】
セレクタ３１１は、ＡＵＸオーディオ端子３０９に接続された外部機器から入力される音声信号、およびチューナ３０６から入力される音声信号のうち、一方の音声信号のみを選択し、選択した音声信号をオーディオＡ／Ｄ（Ａｎａｌｏｇ　ｔｏ　Ｄｉｇｉｔａｌ）コンバータ３１２Ｂに供給する。なお、セレクタ３１０が、ＡＵＸビデオ端子３０８からの映像信号を選択している場合、セレクタ３１１は、ＡＵＸオーディオ端子３０９からの音声信号を選択し、セレクタ３１０が、チューナ３０６からの映像信号を選択している場合、セレクタ３１１は、チューナ３０６からの音声信号を選択する。
【００９０】
入力信号処理部３１２は、ＮＴＳＣデコーダ３１２ＡおよびオーディオＡ／Ｄコンバータ３１２Ｂを含み、サブＣＰＵ３０２からの指示に従って、セレクタ３１０から入力される映像信号、およびセレクタ３１１から入力される音声信号をＡ／Ｄ変換して、ＭＰＥＧ処理部３１３に供給する。すなわち、入力信号処理部３１２内のＮＴＳＣデコーダ３１２Ａは、セレクタ３１０からのＮＴＳＣ方式の映像信号をＡ／Ｄ変換（キャプチャ）して、映像データを生成し、この映像データをＭＰＥＧ処理部３１３に供給する。また、オーディオＡ／Ｄコンバータ３１２Ｂは、セレクタ３１１からの音声信号をＡ／Ｄ変換して音声データを生成し、この音声データをＭＰＥＧ処理部３１３に供給する。
【００９１】
ＭＰＥＧ処理部３１３は、ＭＰＥＧデコーダ３１３ＡおよびＭＰＥＧエンコーダ３１３Ｂを含んでいる。ＭＰＥＧデコーダ３１３Ａは、ＩＣ（Ｉｎｔｅｇｒａｔｅｄ　Ｃｉｒｃｕｉｔ）部３１７からＰＣＩ（Ｐｅｒｉｐｈｅｒａｌ　Ｃｏｍｐｏｎｅｎｔ　Ｉｎｔｅｒｃｏｎｎｅｃｔ）バス３１４を介して供給された符号化データをＭＰＥＧ２やＭＰＥＧ４等の所定の符号化方式に対応した復号化方式でデコードすることにより、再生映像データ（動画データ）および再生音声データを生成する。そして、ＭＰＥＧデコーダ３１３Ａは、再生映像データをビデオプロセッサ３２７に供給し、再生音声データをオーディオＤ／Ａ（Ｄｉｇｉｔａｌ　ｔｏ　Ａｎａｌｏｇ）コンバータ３２８Ａに供給する。
【００９２】
ＭＰＥＧエンコーダ３１３Ｂは、ＮＴＳＣデコーダ３１２Ａから映像データが供給され、オーディオＡ／Ｄコンバータ３１２Ｂから音声データが供給された場合、ＮＴＳＣデコーダ３１２Ａからの映像データ、およびオーディオＡ／Ｄコンバータ３１２Ｂからの音声データを、例えばＭＰＥＧ２やＭＰＥＧ４等の所定の符号化方式によって圧縮符号化することにより符号化データに変換し、これを、ＰＣＩバス３１４を介して、ＩＣ部３１７に供給する。
【００９３】
ホストＣＰＵ３１８は、サブＣＰＵ３０２からの要求に応じて、ＲＯＭ３１９に記憶されているプログラムを起動して各種の処理を実行する。ＲＡＭ３２０には、ホストＣＰＵ３１８が各種の処理を実行する上において必要なデータなどが、適宜記憶される。
【００９４】
ＩＣ部３１７は、ＬＰＣ（Ｌｏｗ　Ｐｉｎ　Ｃｏｕｎｔ）インタフェース３１７Ａ、グラフィックインタフェース３１７Ｂ、ＰＣＩインタフェース３１７Ｃ、プロセッサインタフェース３１７Ｄ、ＪＰＥＧ変換部３１７Ｅ、およびＩＤＥ（Ｉｎｔｅｇｒａｔｅｄ　Ｄｒｉｖｅ　Ｅｌｅｃｔｒｏｎｉｃｓ）インタフェース３１７Ｆを内蔵している。
【００９５】
ＪＰＥＧ変換部３１７Ｅは、１フレーム分の画像データをＪＰＥＧの符号化方式により符号化してサムネイルを生成する。
【００９６】
ＬＰＣバス３１７Ａには、Ｉ／Ｏ（Ｉｎｐｕｔ／Ｏｕｔｐｕｔ）インタフェース３２６、およびビデオプロセッサ３２７が接続されている。Ｉ／Ｏインタフェース３２６は、サブＣＰＵ３０２と接続されており、サブＣＰＵ３０２からの要求を受け取った場合、この要求をホストＣＰＵ３１８に通知する。ビデオプロセッサ３２７は、ＭＰＥＧデコーダ３１３Ａから供給された再生映像データに、テレビジョン受像機５に表示するための所定の処理を施した後、処理済みの再生映像データをＮＴＳＣエンコーダ３２８Ｂに供給する。
【００９７】
ＰＣＩバス３１４には、ＭＰＥＧ処理部３１３とＥｔｈｅｒインタフェース３１５が接続されている。Ｅｔｈｅｒインタフェース３１５は、Ｅｔｈｅｒコネクタ３１６を介して、モデム３と接続されている。
【００９８】
ＩＤＥバス３２１には、ＨＤＤ３２２、ＤＶＤ−ＲＷ（Ｄｉｇｉｔａｌ　Ｖｅｒｓａｔｉｌｅ　Ｄｉｓｃ−ＲｅＷｒｉｔａｂｌｅ）ドライブ３２３、およびテープ記録再生部３２４が接続されている。ＨＤＤ３２２には、ＭＰＥＧエンコーダ３１３Ｂにより符号化された符号化データが記録されると共に、再生処理時には、記録された符号化データが読み出される。ＤＶＤ−ＲＷドライブ３２３は、ホストＣＰＵ３１８からの指令に従って、ＭＰＥＧエンコーダ３１３Ｂにより符号化された符号化データをＤＶＤ−ＲＷディスク３５１に記録する。また、ＤＶＤ−ＲＷドライブ３２３は、ホストＣＰＵ３１８からの指令に従って、ＤＶＤ−ＲＷディスク３５１に記録した符号化データを読み出す。
【００９９】
テープ記録再生部３２４は、ホストＣＰＵ３１８からの指令に従って、ＭＰＥＧエンコーダ３１３Ｂにより符号化された符号化データをＤｉｇｉｔａｌ　Ｖｉｄｅｏ　Ｃａｓｅｔｔｅなどのテープ３５２に記録する。また、ＤＶＤ−ＲＷドライブ３２３は、ホストＣＰＵ３１８からの指令に従って、テープ３５２に記録した符号化データを読み出す。
【０１００】
出力信号処理部３２８は、オーディオＤ／Ａコンバータ３２８ＡおよびＮＴＳＣエンコーダ３２８Ｂを含んでいる。オーディオＡ／Ｄコンバータ３２８Ａは、ＭＰＥＧデコーダ３１３Ａから供給された再生音声データをアナログの音声信号に変換して、オーディオＯＵＴ端子３２９を介して、テレビジョン受像機５に供給する。ＮＴＳＣエンコーダ３２８Ｂは、ビデオプロセッサ３２７から供給された再生映像データをＮＴＳＣ方式の映像信号に変換して、ビデオＯＵＴ端子３３０を介して、テレビジョン受像機５に供給する。
【０１０１】
テレビジョン受像機５は、オーディオＯＵＴ端子３２９から供給された音声信号を内蔵するスピーカより出力すると共に、ビデオＯＵＴ端子３３０から供給された映像信号をディスプレイに表示させる。
【０１０２】
次に、図７は、ＲＯＭ３０３に記憶されたプログラムの例を表している。図７に示されるように、ＲＯＭ３０３には、操作情報設定プログラム３６１、表示制御プログラム３６２、予約録画制御プログラム３６３、入出力信号制御プログラム３６４、およびチューナ制御プログラム３６５が記憶されている。
【０１０３】
操作情報設定プログラム３６１は、操作部３０１から入力された操作信号に応じて、記録再生装置４の各部の動作を設定するプログラムである。例えば、操作情報設定プログラム３６１は、操作部３０１から入力された操作に従って、ＭＰＥＧエンコーダ３１３Ｂを制御し、録画モードの設定（録画する映像の画質の設定のこと。詳細は後述する）を行う。表示制御プログラム３６２は、蛍光表示管３０５への案内の表示を制御するプログラムである。予約録画制御プログラム３６３は、番組放送の予約録画を制御するプログラムである。
【０１０４】
具体的には、予約録画制御プログラム３６３は、操作部３０１から、番組の録画を予約する操作が入力された場合、入力された予約情報をＲＡＭ３０４に記憶させる。そして、予約録画制御プログラム３６３は、現在時刻を監視し、現在時刻が録画開始時刻に一致したとき、ホストＣＰＵ３１８に、ＭＰＥＧエンコーダ３１３Ｂにより符号化されたデータ（チューナ３０６により受信された、指定チャンネルの番組放送のデータ）の、所定の記録媒体（ＨＤＤ３２２、ＤＶＤ−ＲＷディスク３５１、またはテープ３５２）への記録を開始させる。その後、予約録画制御プログラム３６３は、現在時刻を監視しつづけ、現在時刻が録画終了時刻に一致したとき、ホストＣＰＵ３１８に、ＭＰＥＧエンコーダ３１３Ｂにより符号化されたデータの所定の記録媒体への記録を終了させる。その後、予約録画制御プログラム３６３は、ホストＣＰＵ３１８に、録画した番組の録画日、録画開始時刻、録画終了時刻、録画した放送チャンネル、録画モード、および録画した番組の１フレーム分のサムネイルを、予約情報に含まれているメールアドレス宛に送信させる。
【０１０５】
入出力信号制御プログラム３６４は、入力信号処理部３１２による映像信号および音声信号のＡ／Ｄ変換、並びに、出力信号処理部３２８による映像データおよび音声データのＤ／Ａ変換の実行および停止を制御する。
【０１０６】
チューナ制御プログラム３６５は、チューナ３０６による放送局の選局を制御する。
【０１０７】
次に、図８は、ＲＯＭ３１９に記憶されたプログラムの例を表している。図８において、記録制御プログラム３８１は、ＭＰＥＧエンコーダ３１３Ｂにより符号化されたデータの所定の記録媒体（ＨＤＤ３２２、ＤＶＤ−ＲＷディスク３５１、またはテープ３５２）への記録処理を制御する。再生制御プログラム３８２は、所定の記録媒体（ＨＤＤ３２２、ＤＶＤ−ＲＷディスク３５１、またはテープ３５２）からの、データの読み出し、およびＭＰＥＧデコーダ３１３Ａへの供給を制御する。通信制御プログラム３８３は、Ｅｔｈｅｒインタフェース３１５を介した、電子メールの送信処理を含む通信処理を制御する。サムネイル作成プログラム３８４は、所定の記録媒体（ＨＤＤ３２２、ＤＶＤ−ＲＷディスク３５１、またはテープ３５２）に記録された番組放送の符号化データからのサムネイルの作成処理を実行する。録画情報作成プログラム３８５は、録画した番組の録画日、録画開始時刻、録画終了時刻、録画した放送チャンネル、録画モード、およびサムネイルを含む録画情報を作成する。
【０１０８】
次に、図９は、メールサーバ５７の構成例を表すブロック図である。図９において、ＣＰＵ４０１は、ＲＯＭ４０２に記憶されているプログラム、またはＨＤＤ４０４からＲＡＭ４０３にロードされたプログラムに従って各種の処理を実行する。ＲＡＭ４０３にはまた、ＣＰＵ４０１が各種の処理を実行する上において必要なデータなども適宜記憶される。
【０１０９】
ＣＰＵ４０１、ＲＯＭ４０２、ＲＡＭ４０３、およびＨＤＤ４０４は、バス４０５を介して相互に接続されている。このバス４０５にはまた、入出力インタフェース４０６も接続されている。
【０１１０】
入出力インタフェース４０６には、キーボード４０７、マウス４０８、スピーカなどよりなる音声出力部４０９、ＣＲＴ（Ｃａｔｈｏｄｅ−Ｒａｙ　Ｔｕｂｅ）、ＬＣＤなどよりなるディスプレイ４１０、モデム、ターミナルアダプタなどより構成される通信部４１１、およびプリンタ４１２が接続されている。通信部４１１は、インターネット１を含むネットワークを介しての通信処理を行う。
【０１１１】
入出力インタフェース４０６にはまた、必要に応じてドライブ４１３が接続され、磁気ディスク４２１、光ディスク４２２、光磁気ディスク４２３、或いは半導体メモリ４２４などが適宜装着され、それらから読み出されたコンピュータプログラムが、必要に応じてＨＤＤ４０４にインストールされる。
【０１１２】
図示は省略するが、クライアントコンピュータ６、メールサーバ９、管理制御装置５５、およびアクセスサーバ５６は、基本的にメールサーバ５７と同様の構成とされる。
【０１１３】
次に、図１０のフローチャートを参照して、記録再生装置４の録画予約処理について説明する。操作部３０１を介して、ユーザより、放送の録画予約を開始する指示が入力されたとき、図１０のフローチャートの処理が開始される。なお、以下の説明において、予約録画制御プログラム３６３が実行する各種の処理は、実際には、サブＣＰＵ３０２が予約録画制御プログラム３６３を実行することにより実行される。
【０１１４】
ステップＳ１０１において、予約録画制御プログラム３６３は、操作部３０１から入力された録画開始日の設定を受け付け、ＲＡＭ３０４に記憶させる。ステップＳ１０２において、予約録画制御プログラム３６３は、操作部３０１から入力された録画開始時刻の設定を受け付け、ＲＡＭ３０４に記憶させる。ステップＳ１０３において、予約録画制御プログラム３６３は、操作部３０１から入力された録画終了時刻の設定を受け付け、ＲＡＭ３０４に記憶させる。ステップＳ１０４において、予約録画制御プログラム３６３は、操作部３０１から入力された、録画する放送チャンネルの設定を受け付け、ＲＡＭ３０４に記憶させる。ステップＳ１０５において、予約録画制御プログラム３６３は、操作部３０１から入力された録画モードの設定を受け付け、ＲＡＭ３０４に記憶させる。
【０１１５】
ここで、録画モードについて説明する。記録再生装置４においては、入力信号処理部３１２によりＡ／Ｄ変換されて生成された映像データおよび音声データをＭＰＥＧエンコーダ３１３Ｂにより符号化する際、データの圧縮率を、複数の段階の中から選択することができる。高圧縮率に設定した場合、データ量を小さくすることができるが、復号化したデータの画質は低下する。一方、低圧縮率に設定した場合、データ量を小さくすることはできないが、複合化したデータの画質をより高画質にすることができる。録画モードの設定とは、この画質の設定を意味している。録画するデータの画質（録画モード）は、例えば、ＦＩＮＥ、ＳＰ、ＬＰ、およびＥＰの４段階が設定されている。この例においては、ＦＩＮＥが１番高画質であり、以下高画質の順番に、ＳＰ、ＬＰ、およびＥＰとなっている。ＭＰＥＧエンコーダ３１３Ｂは、設定された録画モードに従って、映像データおよび音声データを圧縮符号化する。
【０１１６】
ユーザは、予約した番組の録画の完了を案内する電子メールを送信するか否かを、操作部３０１を操作して設定することができる。そこで、ステップＳ１０６において、予約録画制御プログラム３６３は、操作部３０１からの操作信号に基づいて、録画完了を案内する電子メールを送信する設定が選択されたか否かを判定し、録画完了を案内する電子メールを送信する設定が選択された場合、処理はステップＳ１０７に進む。
【０１１７】
先に説明したように、記録再生装置４は、録画完了を案内する電子メールにサムネイルを含ませることができる。このサムネイルは、録画された番組放送から抜き出された１フレームの画像を元に作成されるが、録画された複数のフレームから、どのフレームを抜き出すかを設定する必要がある。そこで、ステップＳ１０７において、予約録画制御プログラム３６３は、表示制御プログラム３６２に指令して、サムネイル抽出時間、すなわちサムネイルの元となるフレームを抜き出す時間の設定画面を蛍光表示管３０５に表示させ、サムネイル抽出時間の設定を受け付ける。
【０１１８】
図１１は、ステップＳ１０７において、蛍光表示管３０５に表示される設定画面の例を表している。図１１において、１番左側に「抽出時間選択」と表示されている。この「抽出時間選択」の表示により、ユーザは、サムネイルの抽出時間を設定中であることを知ることができる。「抽出時間選択」の右側には、「１分後」、「３分後」、「５分後」、「１０分後」と表示されている。これら「１分後」、「３分後」、「５分後」、「１０分後」の表示は、録画開始時刻から、サムネイル抽出までの時間を表している。図１１においては、「３分後」の直近に、「●」が表示されており、これは「３分後」が選択された状態であることを表している。ユーザは、操作部３０１を操作して、この「●」の表示位置を所望のサムネイル抽出時間の直近に表示させることにより、そのサムネイル抽出時間を選択することができる。
【０１１９】
例えば、「１分後」が選択された場合、録画開始時刻から１分後に録画された１フレーム分の画像が抜き出され、このフレームの画像が縮小されてサムネイルが生成される。また、「３分後」が選択された場合、録画開始時刻から３分後に録画された１フレーム分の画像が抜き出され、このフレームの画像が縮小されてサムネイルが生成される。また、「５分後」が選択された場合、録画開始時刻から５分後に録画された１フレーム分の画像が抜き出され、このフレームの画像が縮小されてサムネイルが生成される。また、「１０分後」が選択された場合、録画開始時刻から１０分後に録画された１フレーム分の画像が抜き出され、このフレームの画像が縮小されてサムネイルが生成される。
【０１２０】
図１１の１番右側には、三角形が表示されており、ユーザが操作部３０１を操作して、この三角形を選択した場合、「１０分後」以降のサムネイル抽出時間の選択肢が表示される。このとき例えば、「抽出時間選択」の右側には、「１５分後」、「２０分後」、「２５分後」、および「３０分後」のように、サムネイル抽出時間の選択肢が表示される。ユーザは、操作部３０１を操作して、これらのサムネイル抽出時間の選択肢の中から、所望するサムネイル抽出時間を選択することができる。
【０１２１】
このとき、さらに右側に三角形が表示され、ユーザが操作部３０１を操作して、その三角形を選択した場合、さらに続くサムネイル抽出時間の選択肢が表示される。なお、ステップＳ１０２およびステップＳ１０３の処理により、録画時間は決定される（例えば、録画開始時刻が１０：００と設定され、録画収容時刻が１１：００と設定された場合、録画時間は１時間に決定される）。サムネイル抽出時間は、この録画時間内で設定する必要がある。従って、予約録画制御プログラム３６３は、この録画時間以内で、サムネイル抽出時間の選択肢を表示させる。
【０１２２】
そこで、ステップＳ１０７において、予約録画制御プログラム３６３は、操作部３０１からの操作信号に従って、サムネイル抽出時間の設定を受け付ける。
【０１２３】
ステップＳ１０７の後、ステップＳ１０８において、予約録画制御プログラム３６３は、録画の完了を案内する電子メールを送信するメールアドレスの設定を受け付ける。ユーザは、操作部３０１を操作して、メールアドレスを入力する。その後、処理はステップＳ１０９に進む。
【０１２４】
ステップＳ１０６において、予約録画制御プログラム３６３が、録画の完了を案内する電子メールを送信する設定が選択されていないと判定した場合、ステップＳ１０７およびステップＳ１０８の処理はスキップされ、処理はステップＳ１０９に進む。
【０１２５】
ステップＳ１０９において、予約録画制御プログラム３６３は、ステップＳ１０１乃至ステップＳ１０８の処理により設定された情報に従って、番組を録画すべきとして、予約情報をＲＡＭ３０４に記憶させる。
【０１２６】
図１２は、ＲＡＭ３０４に記憶された予約情報の例を表している。図１２において、予約情報５０１は、ステップＳ１０１で設定された録画開始日５１１、ステップＳ１０２で設定された録画開始時刻５１２、ステップＳ１０３で設定された録画終了時刻５１３、ステップＳ１０４で設定された録画する放送チャンネル５１４、ステップＳ１０５で設定された録画モード５１５、ステップＳ１０７で設定されたサムネイル抽出時間５１６、およびステップＳ１０８で設定された、電子メールの送信先のメールアドレスである送信アドレス５１７から構成されている。
【０１２７】
なお、図１０のフローチャートのステップＳ１０６において、録画完了を案内する電子メールを送信しないと判定された場合、図１２の予約情報５０１には、サムネイル抽出時間５１６および送信アドレス５１７は含まれない。
【０１２８】
また、図１２の例においては、予約情報５０１は、録画開始日５１１、録画開始時刻５１２、録画終了時刻５１３、放送チャンネル５１４、録画モード５１５、サムネイル抽出時間５１６、および送信アドレス５１７により構成されているが、予約情報５０１は、上記の情報以外の情報（例えば、番組名など）をさらに含むようにしても良い。
【０１２９】
また、図１０のフローチャートにおいては、説明の便宜上、ステップＳ１０１乃至ステップＳ１０５の順番で処理を実行したが、実際には、ステップＳ１０１乃至ステップＳ１０５の処理は、上記の順番に限らず、任意の順番で実行することができる。また、ステップＳ１０７およびステップＳ１０８の処理も、上記した順番とは反対の順番に実行してよい。さらにまた、ステップＳ１０９で予約情報５０１をセットするまでの間、一旦設定した内容を変更することも勿論可能である。
【０１３０】
次に、図１３のフローチャートを参照して、記録再生装置４の録画情報送信処理について説明する。なお、以下の説明においては、番組放送をＤＶＤ−ＲＷディスク３５１に録画する場合を例にして説明するが、番組放送は、ＤＶＤ−ＲＷディスク３５１の代わりに、ＨＤＤ３２２やテープ３５２に記録するようにしても良い。
【０１３１】
ステップＳ１５１において、予約録画制御プログラム３６３は、ＲＡＭ３０４に記憶された予約情報５０１のうち、録画開始日５１１および録画開始時刻５１２を参照して、現在時刻が録画開始日５１１の録画開始時刻５１２に一致したか否かを判定し、現在時刻が録画開始日５１１の録画開始時刻５１２に一致するまで待機する。そして、現在時刻が録画開始日５１１の録画開始時刻５１２に一致したとき、処理はステップＳ１５２に進む。例えば、録画開始日５１１が１０月１０日で、録画開始時刻５１２が１５：００である場合、予約録画制御プログラム３６３は、現在時刻が１０月１０日の１５：００になるまで待機し、現在時刻が１０月１０日の１５：００になったとき、ステップＳ１５２に進む。
【０１３２】
ステップＳ１５２において、記録再生装置４は、番組放送の録画を開始する。すなわち、予約録画制御プログラム３６３は、まず、チューナ制御プログラム３６５を起動して、予約情報５０１の放送チャンネル５１４を選局するように要求する。チューナ制御プログラム３６５は、この要求に従って、放送チャンネル５１４により指定されたチャンネルを選局するように、チューナ３０６を設定する。なお、このとき、セレクタ３１０およびセレクタ３１１は、チューナからの映像信号および音声信号を選択して入力信号処理部３１２に送信するように設定される。また、入出力信号制御プログラム３６４は、入力信号処理部３１２に入力される映像信号および音声信号を、それぞれ映像データおよび音声データに変換して、ＭＰＥＧ処理部３１３に出力するように、入力信号処理部３１２を制御する。
【０１３３】
次に、予約録画制御プログラム３６３は、予約情報５０１に含まれる録画モード５１５に従って、ＭＰＥＧエンコーダ３１３Ｂの圧縮率を設定する。次に、予約録画制御プログラム３６３は、Ｉ／Ｏインタフェース３２６およびＩＣ部３１７を介して、ホストＣＰＵ３１８に、放送の録画を開始するように要求する。この要求を受けて、ホストＣＰＵ３１８は、記録制御プログラム３８１を起動し、放送のＤＶＤ−ＲＷディスク３５１への録画を開始する。
【０１３４】
すなわち、セレクタ３１０およびセレクタ３１１は、チューナ３０６からの映像信号および音声信号を入力信号処理部３１２に送信し、入力信号処理部３１２は、受信した映像信号および音声信号をＡ／Ｄ変換してＭＰＥＧエンコーダ３１３Ｂに送信し、ＭＰＥＧエンコーダ３１３Ｂは、受信した映像データおよび音声データを符号化して符号化データを生成している。そこで、記録制御プログラム３８１は、ＭＰＥＧエンコーダ３１３Ｂにより生成された符号化データを、ＰＣＩバス３１４、ＩＣ部３１７、およびＩＤＥバス３２１を介してＤＶＤ−ＲＷドライブ３２３に供給する。
【０１３５】
そして、記録制御プログラム３８１は、ＤＶＤ−ＲＷドライブ３２３に、符号化データをＤＶＤ−ＲＷディスク３５１に記録するように指令する。ＤＶＤ−ＲＷドライブ３２３は、記録制御プログラム３８１からの指令に従って、ＩＤＥバス３２１経由で供給された符号化データのＤＶＤ−ＲＷディスク３５１への記録を開始する。
【０１３６】
その後、予約録画制御プログラム３６３は、現在時刻が録画終了時刻５１３に一致するまで待機し、現在時刻が録画終了時刻５１３に一致したとき、Ｉ／Ｏインタフェース３２６およびＬＰＣバス３２５を介して、ホストＣＰＵ３１８に、録画を終了するように要求する。例えば、録画終了時刻５１３が１５：５８に設定されている場合、予約録画制御プログラム３６３は、現在時刻が１５：５８になったとき、ホストＣＰＵ３１８に、録画を終了するように要求する。ホストＣＰＵ３１８により起動されている記録制御プログラム３８１は、この要求に従って、ＤＶＤ−ＲＷドライブ３２３により実行されているＤＶＤ−ＲＷディスク３５１への符号化データの記録を終了させる。
【０１３７】
以上のようにして、放送の録画が実行される。
【０１３８】
次に、ステップＳ１５３において、予約録画制御プログラム３６３は、録画完了を案内する電子メールを送信するか否かを、予約情報５０１に基づいて判定する。すなわち、予約情報５０１に送信アドレス５１７が含まれていた場合、予約録画制御プログラム３６３は、録画完了を案内する電子メールを送信するものと判定し、予約情報５０１に送信アドレス５１７が含まれていなかった場合、予約録画制御プログラム３６３は、録画完了を案内する電子メールを送信しないものと判定する。そして、ステップＳ１５３で、予約録画制御プログラム３６３が、録画完了を案内する電子メールを送信すると判定した場合、処理はステップＳ１５４に進む。
【０１３９】
ステップＳ１５４において、予約録画制御プログラム３６３はサムネイル抽出処理を実行する。ここで、ステップＳ１５４のサムネイル抽出処理について、図１４のフローチャートを参照して説明する。
【０１４０】
ステップＳ２０１において、予約録画制御プログラム３６３は、予約情報５０１に含まれているサムネイル抽出時間５１６をＲＡＭ３０４より読み出して、これをＩ／Ｏインタフェース３２６、ＬＰＣバス３２５、およびＩＣ部３１７を介して、ホストＣＰＵ３１８に送信すると共に、サムネイルを抽出するように要求する。
【０１４１】
ホストＣＰＵ３１８は、この指令を受けて、サムネイル作成プログラム３８４を起動し、サムネイルの作成を行う。すなわち、サムネイル作成プログラム３８４は、まず、再生制御プログラム３８２を起動し、ＤＶＤ−ＲＷディスク３５１から、サムネイル抽出時間５１６の映像データを含む符号化データを読み出すように要求する。再生制御プログラム３８２は、この要求に従って、ＤＶＤ−ＲＷドライブ３２３を制御して、ＤＶＤ−ＲＷディスク３５１よりサムネイル抽出時間５１６の映像データを含む符号化データを読み出させる。本実施の形態においては、映像データおよび音声データを、ＭＰＥＧ方式により圧縮符号化する。従って、符号化データは、ＧＯＰ（Ｇｒｏｕｐ　ｏｆ　Ｐｉｃｔｕｒｅｓ）を単位として記録媒体に記録される。そこで、サムネイル抽出時間５１６に対応するフレームを抜き出すためには、まず、ＤＶＤ−ＲＷディスク３５１よりサムネイル抽出時間５１６の映像データを含むＧＯＰ全体を読み出す必要がある。
【０１４２】
次に、ステップＳ２０２において、サムネイル作成プログラム３８４は、ステップＳ２０１で読み出された符号化データを、ＩＤＥバス３２１、ＩＣ部３１７、およびＰＣＩバス３１４を介して、ＭＰＥＧデコーダ３１３Ａに供給する。ＭＰＥＧデコーダ３１３Ａは供給された符号化データを復号し、復号されたデータのうち映像データを、ＰＣＩバス３１４を介してＩＣ部３１７に送信する。
【０１４３】
ステップＳ２０２の後、ステップＳ２０３において、サムネイル作成プログラム３８４は、ステップＳ２０２でＩＣ部３１７に供給された映像データより、サムネイル抽出時間５１６に対応する１フレームを抽出し、これをＪＰＥＧ変換部３１７Ｅに供給する。例えば、先に説明した図１０のステップＳ１０７で、サムネイル抽出時間が、３分後に設定されていた場合、サムネイル作成プログラム３８４は、映像データのうち、録画開始から、ちょうど３分後に相当するフレームを抽出する。
【０１４４】
ＪＰＥＧ変換部３１７Ｅは、供給された１フレーム分の映像データを、ＪＰＥＧ方式で符号化し、サムネイル（静止画）を生成する。なお、この際、ＪＰＥＧ変換部３１７Ｅは、縦横の画素数を、サムネイルの画素数として予め設定された所定の値に設定して、サムネイルを生成する。生成されるサムネイルのサイズは、携帯電話機５３の液晶ディスプレイ１０７に表示可能なサイズとされる。
【０１４５】
その後、ステップＳ２０４において、サムネイル作成プログラム３８４は、ＪＰＥＧ変換部３１７Ｅにより生成されたサムネイルを、ＩＤＥバス３２１を介して、ＨＤＤ３２２に記憶させる。
【０１４６】
以上で、サムネイル抽出処理が終了する。
【０１４７】
図１３に戻って、ステップＳ１５４のサムネイル抽出処理の後、処理はステップＳ１５５に進む。ステップＳ１５５において、予約録画制御プログラム３６３は、メール送信処理を実行する。ここで、ステップＳ１５５のメール送信処理について、図１５のフローチャートを参照して説明する。
【０１４８】
ステップＳ２２１において、予約録画制御プログラム３６３は、ＲＡＭ３０４より録画開始日５１１、録画開始時刻５１２、録画終了時刻５１３、放送チャンネル５１４、録画モード５１５、および送信アドレス５１７を読み出して、これをＩ／Ｏインタフェース３２６、ＬＰＣバス３２５、およびＩＣ部３１７を介して、ホストＣＰＵ３１８に送信すると共に、ホストＣＰＵ３１８に対して、録画完了を案内する電子メールを送信するように要求する。ホストＣＰＵ３１８は、受信した録画開始日５１１、録画開始時刻５１２、録画終了時刻５１３、放送チャンネル５１４、録画モード５１５、および送信アドレス５１７を、ＲＡＭ３２０に一時記憶させると共に、録画情報作成プログラム３８５を起動する。録画情報作成プログラム３８５は、図１４のステップＳ２０４でＨＤＤ３２２に記録されたサムネイルをＨＤＤ３２２より読み出す。そして、録画情報作成プログラム３８５は、録画開始日５１１、録画開始時刻５１２、録画終了時刻５１３、放送チャンネル５１４、および録画モード５１５、並びにサムネイルを含む録画情報を作成し、ＲＡＭ３２０に一時記憶させる。
【０１４９】
ステップＳ２２２において、ホストＣＰＵ３１８は、通信制御プログラム３８３を起動する。通信制御プログラム３８３は、ステップＳ２２１で作成された録画情報および送信アドレス５１７をＲＡＭ３２０より読み出し、録画情報に送信アドレス５１７を付して、これらをＥｔｈｅｒインタフェース３１５、Ｅｔｈｅｒコネクタ３１６、およびモデム３を介して、メールサーバ９に送信する。
【０１５０】
以上で、メール送信処理が終了する。図１３に戻って、ステップＳ１５５の処理が終了すると、記録再生装置４の録画情報送信処理が終了する。
【０１５１】
ステップＳ１５３において、予約録画制御プログラム３６３が、録画完了を案内する電子メールを送信しないと判定した場合、ステップＳ１５４およびステップＳ１５５の処理はスキップされ、記録再生装置４の録画情報送信処理が終了する。
【０１５２】
ところで、図１５のステップＳ２２２で記録再生装置４により送信された録画情報は、メールサーバ９およびメールサーバ５７を経由して、携帯電話機５３に受信される。
【０１５３】
ここで、図１６のフローチャートを参照して、メールサーバ９のメール転送処理について説明する。
【０１５４】
ステップＳ２４１において、メールサーバ９は、記録再生装置４が図１５のステップＳ２２２で送信した録画情報を受信する。この録画情報には、送信アドレス５１７が付されている。ステップＳ２４２において、メールサーバ９は、録画情報に付されている送信アドレス５１７に対応するメールサーバ５７に対して、ステップＳ２４１で受信した録画情報を含む電子メールを送信する。
【０１５５】
次に、図１７のフローチャートを参照して、メールサーバ５７のメール配信処理について説明する。
【０１５６】
ステップＳ２５１において、メールサーバ５７のＣＰＵ４０１は、メールサーバ９が図１６のステップＳ２４２で送信した録画情報を、通信部４１１を介して受信し、ＨＤＤ４０４に記憶させる。この録画情報には、送信アドレス５１７が付されている。ステップＳ２５２において、メールサーバ５７のＣＰＵ４０１は、送信アドレス５１７に基づいて、通信部４１１から携帯電話機５３に対して、ステップＳ２５１で受信した録画情報を含む電子メールを送信する。
【０１５７】
次に、図１８のフローチャートを参照して、携帯電話機５３のメール提示処理について説明する。
【０１５８】
ステップＳ２６１において、携帯電話機５３のＣＰＵ２２１は、メールサーバ５７が図１７のステップＳ２５２で送信した録画情報を含む電子メールを、アンテナ１０４および送受信回路部２１５を介して受信し、変復調回路部２１１でスペクトラム逆拡散処理して、元のテキストデータおよび符号化画像データを復元する。そして、符号化画像データを、画像デコーダ２０８によりデコードし、サムネイルの画像データを生成する。復元されたテキストデータ、および復号されたサムネイルは、記憶部２０５に記憶される。
【０１５９】
ステップＳ２６２において、ＣＰＵ２２１は、記憶部２０５より、電子メールの着信時用に設定された所定の音声データを読み出し、この音声データに対応する音声を音声コーデック２１２を介してスピーカ１２１より出力させる。ユーザは、この音声により電子メールが着信したことを知ることができる。ユーザは、操作キー１０８およびジョグダイヤル１１１を操作することにより、電子メールの閲覧を指示することができる。
【０１６０】
そこで、ユーザにより電子メールの閲覧が指示されたとき、ステップＳ２６３において、ＣＰＵ２２１は、ステップＳ２６１で受信した電子メールに含まれているテキストデータおよびサムネイルを、記憶部２０５より読み出し、これらを、ＬＣＤ制御部２０６を介して、液晶ディスプレイ１０７に表示させる。
【０１６１】
図１９および図２０は、液晶ディスプレイ１０７に表示される画像の例を表している。図１９において、液晶ディスプレイ１０７には、左上側に、電波の受信状態を表す感度表示６０１が表示され、その右側に電池の残量を表す残量表示６０２が表示されている。その下には、受信した電子メールを液晶ディスプレイ１０７に表示していることを案内する案内６０３「受信メール」が表示され、さらにその下には、電子メールを受信した日付の日付表示６０４「０２／１０／１０　１６：００」が表示されている。日付表示６０４の下には、電子メールの送信者のメールアドレス６０５「ｘｘｘｘ＠ｘｘｘ．ｘｘ．ｊｐ」が表示され、さらにその下には、電子メールの題名６０６「録画終了のお知らせ」が表示されている。ユーザは、この題名６０６により、受信した電子メールが、録画終了の案内であることを知ることができる。
【０１６２】
題名６０６の下には、本文表示欄６０７があり、本文表示欄６０７には、「録画終了しました。」、「録画日１０月１０日」、および「録画開始　１５：００」が表示されている。「録画終了しました。」は、録画が終了したことの案内である。「録画日１０月１０日」は、録画開始日が１０月１０日であることを表す案内であり、録画情報に含まれている録画開始日に基づいて表示される。「録画開始　１５：００」は、録画開始時刻が１５時００分であることを表す案内であり、録画情報に含まれている録画開始時刻に基づいて表示される。本文表示欄６０７は、さらに下に続いており、ユーザは、ジョグダイヤル１１１を所定下方向に回転させることにより、画面をスクロールさせ、本文表示欄６０７の、さらに下の領域を表示させることができる。
【０１６３】
図２０は、ジョグダイヤル１１１の操作により、図１９の画面がスクロールされた後の画面の例を表している。図２０において、本文表示欄６０７には、上側から順番に「録画終了　１５：５８」、「チャンネル　ＢＳ１１」、および「録画モード　ＦＩＮＥ」と表示されている。「録画終了　１５：５８」は、録画終了時刻が１５時５８分であることを表す案内であり、録画情報に含まれている録画終了時刻に基づいて表示される。「チャンネル　ＢＳ１１」は、録画した放送の放送チャンネルがＢＳ１１であることを表す案内であり、録画情報に含まれている放送チャンネルに基づいて表示される。「録画モード　ＦＩＮＥ」は、録画モードがＦＩＮＥであることを表す案内であり、録画情報に含まれている録画モードに基づいて表示される。
【０１６４】
「録画モード　ＦＩＮＥ」の下には、サムネイル６２１が表示されている。ユーザは、このサムネイル６２１により、録画された番組が何なのかを、直感的に把握することが可能となる。
【０１６５】
以上のようにして、録画完了を案内する電子メールがユーザに提示される。これにより、ユーザは、たとえ記録再生装置４から離れた場所に居ても、番組放送の録画が完了したことを知ることができる。また、録画開始日、録画開始時刻、録画終了時刻、録画した放送チャンネル、および録画モードの案内を表示することにより、ユーザは、番組放送が何日の何時何分から何時何分まで録画されたもので、どの放送チャンネルが録画されたか、どの画質で録画されたのかを把握することができる。さらに、録画した番組放送から１フレームを抜き出して作成したサムネイル６２１をユーザに提示することにより、録画開始日、録画開始時刻、録画終了時刻、および放送チャンネルなどの文字情報のみを提示した場合と比較して、ユーザは、より直感的に、録画した番組の内容を把握することが可能となる。
【０１６６】
なお、以上の説明においては、録画情報を携帯電話機５３に送信する場合を例にして説明したが、このことは、本発明が録画情報を携帯電話機５３に送信する場合にしか適用されないことを意味するものではない。録画情報は、例えば、携帯情報端末装置５４、およびクライアントコンピュータ６−１乃至６−３などのように、電子メールを受信可能な電子機器に送信するようにすることができる。
【０１６７】
また、以上の説明においては、記録再生装置４はサムネイルを作成し、このサムネイルを含む録画情報を、所定のメールアドレス宛に送信するようにしているが、作成および送信される画像はサムネイルであることに限定されるものではない。例えば、電子メールの送信先がクライアントコンピュータ６などのように、一般的に携帯電話機５３より大型のディスプレイを備えている機器である場合、記録再生装置４から送信する画像をサムネイルより大きいサイズにすることもできる。また、図１０の録画予約処理の際に、送信する画像のサイズを設定可能なようにしても良い。
【０１６８】
また、以上の説明においては、図１０の録画予約処理で、録画開始日、録画開始時刻、録画終了時刻、および録画する放送チャンネルを、ユーザが別個に設定しているが、例えば、ＥＰＧ（Ｅｌｅｃｔｒｏｎｉｃ　Ｐｒｏｇｒａｍ　Ｇｕｉｄｅ）に基づいて、録画する番組の指定を受け付けることにより、録画開始日、録画開始時刻、録画終了時刻、および録画する放送チャンネルを設定するようにしても良い。この場合、ＥＰＧから録画する番組の番組名も取得することができる。そこで、電子メールで送信する録画情報に、番組名を含むようにさせ、携帯電話機５３の液晶ディスプレイ１０７に番組名も表示させるようにしても良い。
【０１６９】
また、以上の説明においては、記録再生装置４は、アンテナ３０７を介して受信した番組放送を記録する場合を例にして説明したが、このことは、記録再生装置４が、アンテナ３０７を介して受信した番組放送しか記録しないことを意味するものではない。記録再生装置４は、例えば、ケーブルテレビにより配信される番組放送を記録するようにしても良い。
【０１７０】
上述した一連の処理は、ハードウエアにより実行させることもできるが、ソフトウエアにより実行させることもできる。一連の処理（例えば、記録再生装置４により実行される一連の処理、または携帯電話機５３により実行される一連の処理）をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば図２１に示される汎用のパーソナルコンピュータ７００などに、記録媒体（プログラム格納媒体）からインストールされる。図２１のパーソナルコンピュータを構成するＣＰＵ７０１乃至半導体メモリ７２４は、図９のメールサーバ５７を構成するＣＰＵ４０１乃至半導体メモリ４２４と同様であるため、構成の詳細な説明は省略する。
【０１７１】
コンピュータにインストールされ、コンピュータによって実行可能な状態とされるプログラムを格納する記録媒体（プログラム格納媒体）は、図９および図２１に示すように、磁気ディスク４２１，７２１（フレキシブルディスクを含む）、光ディスク４２２，７２２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤを含む）、光磁気ディスク４２３，７２３（ＭＤ（Ｍｉｎｉ−Ｄｉｓｋ）を含む）、もしくは半導体メモリ４２４，７２４などよりなるパッケージメディア、または、プログラムが一時的もしくは永続的に格納されるＲＯＭ４０２，７０２や、ＨＤＤ４０４，７０４などにより構成される。記録媒体（プログラム格納媒体）へのプログラムの格納は、必要に応じてルータ、モデムなどのインタフェースを介して、ローカルエリアネットワーク、インターネット１、デジタル衛星放送といった、有線または無線の通信媒体を利用して行われる。
【０１７２】
なお、本明細書において、記録媒体（プログラム格納媒体）に格納されるプログラムを記述するステップは、記載された順序に沿って時系列的に行われる処理はもちろん、必ずしも時系列的に処理されなくとも、並列的あるいは個別に実行される処理をも含むものである。
【０１７３】
また、本明細書において、システムとは、複数の装置により構成される装置全体を表すものである。
【０１７４】
【発明の効果】
以上の如く、第１の本発明によれば、予めデータの記録を予約することができる。
【０１７５】
また、第１の本発明によれば、予約録画が完了したこをと、記録装置から離れた場所に居るユーザに知らせることができる。
【０１７６】
第２の本発明によれば、データの記録を予め予約することができる。
【０１７７】
また、第２の本発明によれば、記録装置から離れた場所にユーザが居ても、予約録画が完了したことをユーザに知らせることができる。
【０１７８】
第３の本発明によれば、種々の情報を受信することができる。
【０１７９】
また、第３の本発明によれば、予約録画の案内を受信し、表示して、予約録画が完了したことをユーザに知らせることができる。
【図面の簡単な説明】
【図１】本発明のサービス提供システムの構成を示す図である。
【図２】携帯電話機の外観を示す斜視図である。
【図３】図２の携帯電話機のカメラ部を回転させた場合の表示部の斜視図である。
【図４】図２の携帯電話機の側面図である。
【図５】図２の携帯電話機の構成例を示すブロック図である。
【図６】図１の記録再生装置の構成例を示すブロック図である。
【図７】図６のＲＯＭ３０３に記憶されたプログラムの例を示す図である。
【図８】図６のＲＯＭ３１９に記憶されたプログラムの例を示す図である。
【図９】図１のメールサーバ５７の構成例を示すブロック図である。
【図１０】記録再生装置の録画予約処理を説明するフローチャートである。
【図１１】蛍光表示管の表示例を示す図である。
【図１２】予約情報に含まれる情報の例を示す図である。
【図１３】記録再生装置の録画情報送信処理を説明するフローチャートである。
【図１４】図１３のステップＳ１５４の処理を詳細に説明するフローチャートである。
【図１５】図１３のステップＳ１５５の処理を詳細に説明するフローチャートである。
【図１６】図１のメールサーバ９のメール転送処理を説明するフローチャートである。
【図１７】図１のメールサーバ５７のメール配信処理を説明するフローチャートである。
【図１８】携帯電話機のメール提示処理を説明するフローチャートである。
【図１９】携帯電話機の液晶ディスプレイの表示例を示す図である。
【図２０】携帯電話機の液晶ディスプレイの表示例を示す他の図である。
【図２１】パーソナルコンピュータの構成例を示すブロック図である。
【符号の説明】
１　インターネット，　４　記録再生装置，　９　メールサーバ，　５３　携帯電話機，　５７　メールサーバ，　１０７　液晶ディスプレイ，　２００　主制御部，　２２１　ＣＰＵ，　３０１　操作部，　３０２　サブＣＰＵ，　３０３　ＲＯＭ，　３０５　蛍光表示管，　３０６　チューナ，　３１２　入力信号処理部，３１３　ＭＰＥＧ処理部，　３１５　Ｅｔｈｅｒインタフェース，　３１７　ＩＣ部，　３１８　ホストＣＰＵ，　３１９　ＲＯＭ，　３２２　ＨＤＤ，　３２３　ＤＶＤ−ＲＷドライブ，　３２８　出力信号処理部，　３５１　ＤＶＤ−ＲＷディスク，　３６３　予約録画制御プログラム，　３８３　通信制御プログラム，　３８４　サムネイル作成プログラム，　３８５　録画情報作成プログラム，　４０１　ＣＰＵ
【図１】
2004135151.tif 000003
【図２】
2004135151.tif 000004
【図３】
2004135151.tif 000005
【図４】
2004135151.tif 000006
【図５】
2004135151.tif 000007
【図６】
2004135151.tif 000008
【図７】
2004135151.tif 000009
【図８】
2004135151.tif 000010
【図９】
2004135151.tif 000011
【図１０】
2004135151.tif 000012
【図１１】
2004135151.tif 000013
【図１２】
2004135151.tif 000014
【図１３】
2004135151.tif 000015
【図１４】
2004135151.tif 000016
【図１５】
2004135151.tif 000017
【図１６】
2004135151.tif 000018
【図１７】
2004135151.tif 000019
【図１８】
2004135151.tif 000020
【図１９】
2004135151.tif 000021
【図２０】
2004135151.tif 000022
【図２１】
2004135151.tif 000023